(57)【要約】【課題】両面にセパレータが形成された両面粘着テープにおいて、各セパレータを容易に剥離することができる両面粘着テープを提供する。【解決手段】本発明の両面粘着テープユニット１は、シート状のセパレータ１０上に複数の両面粘着テープが形成されたもので、セパレータには、平行な複数のスリット１１が形成され、両面粘着テープ２０は、第１の粘着層２２、基材２１、及び第２の粘着層２３が積層された構成をなし、スリットが形成された位置に対応して、互いに分離されて、短冊状に形成され、第２の粘着層２３の上に、セパレータ片３０が形成されており、セパレータ片は、両面粘着テープの長手方向の一端部において、両面粘着テープが形成されていない摘まみ部３０ａを有する。【選択図】図１
2019038927.tif 000002
【特許請求の範囲】
【請求項１】
シート状のセパレータ上に複数の両面粘着テープが形成された両面粘着テープユニットであって、
前記セパレータには、一方向に沿って互いに平行な複数のスリットが形成されており、
前記複数の両面粘着テープは、それぞれ、第１の粘着層、基材、及び第２の粘着層が積層された構成をなし、前記スリットが形成された位置に対応して、互いに分離されて、短冊状に形成されており、
前記第２の粘着層の上に、セパレータ片が形成されており、該セパレータ片は、前記両面粘着テープの長手方向の一端部において、該両面粘着テープが形成されていない摘まみ部を有する、両面粘着テープユニット。
【請求項２】
前記セパレータの前記第１の粘着層に対する離型力は、前記セパレータ片の前記第２の粘着層に対する離型力よりも小さい、請求項１に記載の両面粘着テープユニット。
【請求項３】
前記第１に粘着層の粘着力は、前記第２の粘着層の粘着力よりも大きい、請求項１に記載の両面粘着テープユニット。
【請求項４】
前記両面粘着テープは、前記スリットが形成された位置が、前記両面粘着テープの幅方向中央にくるように、前記セパレータ上に形成されている、請求項１に記載の両面粘着テープユニット。
【請求項５】
前記基材は、可撓性材料または収縮性材料で構成されている、請求項１に記載の両面粘着テープユニット。
【請求項６】
シート状のセパレータ上に複数の両面粘着テープが形成された両面粘着テープユニットであって、
前記複数の両面粘着テープは、それぞれ、第１の粘着層、基材、及び第２の粘着層が積層された構成をなし、互いに分離されて、一方向に沿って短冊状に形成されており、
前記第２の粘着層の上に、セパレータ片が形成されており、該セパレータ片は、前記両面粘着テープの長手方向の一端部において、該両面粘着テープが形成されていない摘まみ部を有し、
前記セパレータには、前記摘まみ部よりも内側であって、前記一方向と垂直方向に沿ってスリットが形成されている、両面粘着テープユニット。
【請求項７】
前記各両面粘着テープは、前記セパレータから個別に剥離可能であって、
剥離後の前記両面粘着テープは、靴下を足に装着する際、前記第１の粘着層を足の表面に貼り付け、前記第２の粘着層を靴下の内面に貼り付けることによって、靴下のずれを防止する、靴下ずれ防止用両面粘着テープとして使用される、請求項１または６に記載の両面粘着テープユニット。
【請求項８】
請求項１〜６の何れかに記載の両面粘着テープユニットの製造方法であって、
前記シート状のセパレータにスリットを形成する工程と、
前記セパレータ上に、第１の粘着層、基材、及び第２の粘着層の積層体からなる両面粘着シートと、キャリアシートとを形成する工程と、
前記両面粘着シート及び前記キャリアシートにおいて、前記摘まみ部に相当する部位を選択的に除去する工程と、
前記キャリアシートを除去した後、前記両面粘着シート上に、シート状の第２のセパレータを形成する工程と、
前記両面粘着シート及び前記第２のセパレータにおいて、前記両面粘着テープ及び前記セパレータ片を形成する領域を除く部位を選択的に除去して、複数の両面粘着テープを、短冊状に形成する工程と、
を有する、両面粘着テープユニットの製造方法。
【請求項９】
前記スリットは、前記複数の両面粘着テープが形成される位置に対応して、互いに平行に複数本形成される、請求項８に記載の両面粘着テープユニットの製造方法。
【発明の詳細な説明】
【技術分野】
【０００１】
本発明は、両面にセパレータが形成された両面粘着テープに関し、特に、シート状のセパレータ上に複数の両面粘着テープが形成された両面粘着テープユニット、及びその製造方法に関する。
【背景技術】
【０００２】
靴下を着用した状態で歩行等をしていると、靴下がずり落ちてしまうという不具合が生じる。これに対して、足の一部分（例えば踵）に糊を付けて、靴下を足に装着する際に、靴下の内面を糊で止めることによって、靴下のずれを防止することができるが、靴下を脱いだ後、靴下に付いた糊を取る手間（例えば、洗濯）がかかってしまう。
【０００３】
特許文献１には、不織布の一方の面に接着層及び剥離用フィルムを形成し、不織布の他方の面に、剥離テープ付きの両面テープを形成したずり防止具が開示されている。
【先行技術文献】
【特許文献】
【０００４】
【特許文献１】実用新案登録第３１２５７１９号公報
【発明の概要】
【発明が解決しようとする課題】
【０００５】
しかしながら、特許文献１に開示されたずり（れ）防止具では、当該ずり防止具を足に貼り付ける際、剥離用フィルムを接着層からスムーズに剥離することができない。また、剥離用フィルムを剥離して、露出した接着層を足の一部分に貼り付ける際、指が接着層にくっついてしまい、貼り付けにくい。さらに、ずり防止具を足に貼り付けた後、剥離テープを両面テープからスムーズに剥離するのも容易ではない。特に、ずれ防止具を使用する際、靴下の装着時に違和感を感じないようにするために、接着層や両面テープの厚みを薄くすると、剥離用フィルム及び剥離テープを剥離するのがより難しくなる。
【０００６】
本発明は、かかる点に鑑みなされたもので、その主な目的は、両面にセパレータが形成された両面粘着テープにおいて、各セパレータを容易に剥離することができる両面粘着テープを提供することにある。
【課題を解決するための手段】
【０００７】
本発明に係る両面粘着テープユニットは、シート状のセパレータ上に複数の両面粘着テープが形成された両面粘着テープユニットであって、セパレータには、一方向に沿って互いに平行な複数のスリットが形成されており、複数の両面粘着テープは、それぞれ、第１の粘着層、基材、及び第２の粘着層が積層された構成をなし、スリットが形成された位置に対応して、互いに分離されて、短冊状に形成されており、第２の粘着層の上に、セパレータ片が形成されており、セパレータ片は、両面粘着テープの長手方向の一端部において、両面粘着テープが形成されていない摘まみ部を有することを特徴とする。
【０００８】
本発明に係る両面粘着テープユニットの製造方法は、上記の両面粘着テープユニットの製造方法であって、シート状のセパレータにスリットを形成する工程と、セパレータ上に、第１の粘着層、基材、及び第２の粘着層の積層体からなる両面粘着シートと、キャリアシートとを形成する工程と、両面粘着シート及びキャリアシートにおいて、摘まみ部に相当する部位を選択的に除去する工程と、キャリアシートを除去した後、両面粘着シート上に、シート状の第２のセパレータを形成する工程と、両面粘着シート及び第２のセパレータにおいて、両面粘着テープ及びセパレータ片を形成する領域を除く部位を選択的に除去する工程とを有することを特徴とする。
【発明の効果】
【０００９】
本発明によれば、両面にセパレータが形成された両面粘着テープにおいて、各セパレータを容易に剥離することができる両面粘着テープを提供することができる。
【図面の簡単な説明】
【００１０】
【図１】本発明の一実施形態における両面粘着テープユニットの構成を模式的に示した図で、（ａ）は平面図、（ｂ）は底面図、（ｃ）は、（ｂ）のIc−Ic線に沿った断面図である。
【図２】本実施形態における両面粘着テープユニットを、靴下のずれ防止に使用する例を説明した図である。
【図３】本実施形態における両面粘着テープユニットを、靴下のずれ防止に使用する例を説明した図である。
【図４】本実施形態における両面粘着テープユニットを、靴下のずれ防止に使用する例を説明した図である。
【図５】（ａ）〜（ｄ）は、本実施形態における両面粘着テープユニットを、靴下のずれ防止に使用する例を説明した図である。
【図６】本実施形態における両面粘着テープユニットの製造方法を説明した図である。
【図７】（ａ）、（ｂ）は、本実施形態における両面粘着テープユニットの製造方法を説明した図である。
【図８】（ａ）、（ｂ）は、本実施形態における両面粘着テープユニットの製造方法を説明した図である。
【図９】（ａ）、（ｂ）は、本実施形態における両面粘着テープユニットの製造方法を説明した図である。
【図１０】（ａ）、（ｂ）は、本実施形態における両面粘着テープユニットの製造方法を説明した図である。
【図１１】本実施形態における両面粘着テープユニットの製造方法を説明した図である。
【図１２】（ａ）、（ｂ）は、本発明の他の実施形態における両面粘着テープユニットの構成を模式的に示した平面図である。
【発明を実施するための形態】
【００１１】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１２】
図１は、本発明の一実施形態における両面粘着テープユニット１の構成を模式的に示した図で、（ａ）は平面図、（ｂ）は底面図、（ｃ）は、（ｂ）のIc−Ic線に沿った断面図である。
【００１３】
図１（ａ）〜（ｃ）に示すように、本実施形態における両面粘着テープユニット１は、シート状のセパレータ１０上に、複数の両面粘着テープ２０（本実施形態では４個）が形成された構成をなし、各両面粘着テープ２０は、セパレータ１０から個別に剥離可能になっている。なお、図１（ａ）は、セパレータ１０側から見た平面図である。
【００１４】
セパレータ１０は、一方向（図１では、左右方向）に沿って、互いに平行な複数のスリット１１が形成されている。スリット１１の数は、両面粘着テープ２０の数と同じである。また、スリット１１は、セパレータ１０の両端部１２、１３まで延存しているのが好ましい。
【００１５】
複数の両面粘着テープ２０は、それぞれ、第１の粘着層２２、基材２１、及び第２の粘着層２３が積層された構成をなしている。そして、各両面粘着テープ２０は、スリット１１が形成された位置に対応して、互いに分離されて、短冊状に形成されている。
【００１６】
なお、本実施形態では、両面粘着テープ２０を、スリット１１が形成された位置が、両面粘着テープ２０の幅方向中央にくるように、セパレータ１０上に形成しているが、これに限定されず、少なくとも、各両面粘着テープ２０が、平面視で、スリット１１と重なった位置に形成されればよい。また、各両面粘着テープ２０は、セパレータ１０の両端部１２、１３から内側に形成されているのが好ましい。
【００１７】
また、第２の粘着層２３の上には、セパレータ片３０が形成されており、当該セパレータ片３０は、両面粘着テープ２０の長手方向端部において、両面粘着テープ２０が形成されていない摘まみ部３０ａを有している。すなわち、図１（ｃ）に示すように、摘まみ部３０ａは、両面粘着テープ２０の端部から突出している。
【００１８】
本実施形態において、シート状のセパレータ１０の材料は、特に限定されないが、例えば、ＰＥＴフィルム、ポリプロピレンフィルム、ポリエチレンフィルム等の合成樹脂、紙等を用いることができる。
【００１９】
また、第１の粘着層２２及び第２の粘着層２３の材料は、特に限定されないが、例えばアクリル系粘着剤や、ウレタン系粘着、ゴム系粘着等を用いることができる。なお、第１に粘着層２２の粘着力は、第２の粘着層２３の粘着力よりも大きいことが好ましい。粘着力の調整は、モノマーの種類、ポリマーの分子量、架橋密度などを制御することにより行うことができる。
【００２０】
また、セパレータ１０の第１の粘着層２２に対する離型力（剥がれやすさ）は、セパレータ片３０の第２の粘着層２３に対する離型力よりも小さくなるように設定されている。なお、セパレータ１０及びセパレータ片３０の離型力の差は、例えば、セパレータ１０及びセパレータ片３０の表面に、シリコーン等の離型剤をコーティングする処理条件を変えることによって、付与することができる。
【００２１】
また、基材２１の材料は、特に限定されないが、可撓性または収縮性を有する材料を用いることが好ましい。可撓性または収縮性を有する材料として、例えば、ＰＥＴフィルム、ポリプロピレンフィルム、ポリイミドフィルム、紙等を用いることができる。また、第１の粘着層２２、基材２１、及び第２の粘着層２３の総厚みは、５０μｍ以下が好ましく、２００μｍ以下がより好ましい。
【００２２】
また、セパレータ片３０の材料は、特に限定されないが、例えば、ＰＥＴフィルム、ポリプロピレンフィルム、ポリエチレンフィルム、紙等を用いることができる。
【００２３】
次に、図２〜図５を参照しながら、本実施形態における両面粘着テープユニット１を、靴下のずれ防止に使用する例を説明する。
【００２４】
まず、図２に示すように、セパレータ１０の最も端に位置するスリット１１ａに沿って、セパレータ１０の一部１０ａを両面粘着テープ２０から引き剥がす。このとき、セパレータ１０の第１の粘着層２２に対する離型力が、セパレータ片３０の第２の粘着層２３に対する離型力よりも小さく設定されているため、セパレータ１０の一部１０ａは、両面粘着テープ２０から容易に引き剥がされる。なお、セパレータ１０の一部１０ａを引き剥がした後、両面粘着テープ２０の一部が露出している。
【００２５】
次に、図３に示すように、摘まみ部３０ａを持って、両面粘着テープ２０を、セパレータ１０から引き剥がす。このとき、セパレータ１０の第１の粘着層２２に対する離型力が、セパレータ片３０の第２の粘着層２３に対する離型力よりも小さく設定されているため、両面粘着テープ２０は、セパレータ１０から容易に引き剥がされる。これにより、図４に示すように、セパレータ１０から個別に剥離された両面粘着テープ２０（セパレータ片３０付き）が得られる。
【００２６】
次に、図５（ａ）に示すように、セパレータ１０から剥離された両面粘着テープ２０を、足の踵Ａに貼り付ける。このとき、両面粘着テープ２０を摘まみ部３０ａで摘まみながら貼り付けることによって、両面粘着テープ２０をスムーズに足の踵Ａに貼り付けることができる。図５（ｂ）は、両面粘着テープ２０を、足の踵Ａに貼り付けた状態を示した図である。
【００２７】
次に、図５（ｃ）に示すように、摘まみ部３０ａを摘まんで、セパレータ片３０を両面粘着テープ２０から引き剥がす。
【００２８】
最後に、図５（ｄ）に示すように、靴下Ｂを足に装着する際、両面粘着テープ２０を靴下の内面Ｂに貼り付ける。これにより、靴下Ｂは、両面粘着テープ２０によって、足の踵Ａで固定されるため、靴下Ｂを着用した状態で歩行等をしても、靴下Ｂがずり落ちるのを防止することができる。
【００２９】
なお、このとき、両面粘着テープ２０は、第１の粘着層２２が足の踵Ａに貼り付けられ、第２の粘着層２３を靴下Ｂの内面に貼り付けられている。そのため、第１の粘着層２２の粘着力を、第２の粘着層２３の粘着力よりも大きく設定することによって、両面粘着テープ２０を、足の踵Ａ側に残して、靴下Ｂを脱ぐことができる。これにより、靴下Ｂに粘着層が残らないため、粘着層を取る余計な手間（例えば、洗濯）を省くことができる。また、基材２１が、可撓性または収縮性を有する材料からなる場合、両面粘着テープ２０を、足の踵Ａの形状に沿って、しっかりと貼り付けることができる。
【００３０】
このように、本実施形態によれば、両面にセパレータが形成された両面粘着テープにおいて、各セパレータを容易に剥離することができる両面粘着テープを提供することができる。
【００３１】
また、本実施形態における両面粘着テープユニット１は、１枚のシート状のセパレータ１０上に複数の両面粘着テープ２０が、別個に剥離可能に形成されているため、保管や取り扱い等が非常にしやすい。
【００３２】
さらに、本実施形態における両面粘着テープユニット１は、両面に形成されたセパレータにでっぱりがないため、商品として包装する際、包装作業（特に自動工程）が容易になる。
【００３３】
次に、図６〜図１１を参照しながら、本実施形態における両面粘着テープユニットの製造方法を説明する。
【００３４】
まず、図６に示すように、シート状のセパレータ１０に、互いに平行な複数のスリット１１を形成する。スリット１１は、例えば、トムソン刃、エッチング刃等を用いて形成することができる。なお、スリット１１は、ハーフカットでもフルカットでもどちらでもよい。また、スリット１１は、セパレータ１０の両端部１２、１３まで延存していなくてもよい。
【００３５】
次に、図７（ａ）、（ｂ）に示すように、セパレータ１０上に、第１の粘着層２２、基材２１、及び第２の粘着層２３の積層体からなる両面粘着シート２０と、キャリアシート４０とを形成する。なお、両面粘着シート２０は、後に分離されて、両面粘着テープ２０となるものである。また、キャリアシート４０は、例えば、ＰＥＴフィルム、ポリプロピレンフィルム、ポリエチレンフィルム、紙等を用いることができる。ここで、図７（ａ）は平面図、図７（ｂ）は断面図である。
【００３６】
次に、図８（ａ）、（ｂ）に示すように、両面粘着シート２０及びキャリアシート４０において、摘まみ部３０ａに相当する部位５０を選択的に除去する。なお、図１（ａ）に示したように、摘まみ部３０ａは、両面粘着テープ２０毎に分離して形成されているが、選択的に除去する部位５０は、摘まみ部３０ａに相当する部位を含むのもであればよく、図８（ａ）に示すように、連続的な領域であってもよい。ここで、図８（ａ）は平面図、図８（ｂ）は、図８（ａ）のVIIIb−VIIIbに沿った断面図である。
【００３７】
次に、図９（ａ）、（ｂ）に示すように、キャリアシート４０を除去した後、両面粘着シート２０上に、シート状の第２のセパレータ３０を形成する。なお、第２のセパレータ３０は、後に分離されて、セパレータ片３０となるものである。ここで、図９（ａ）は平面図、図９（ｂ）は、図９（ａ）のIXb−IXbに沿った断面図である。
【００３８】
次に、図１０（ａ）、（ｂ）に示すように、両面粘着シート２０及び第２のセパレータ３０において、両面粘着テープ２０及びセパレータ片３０を形成する領域７０を除く部位を選択的に除去する。
【００３９】
最後に、図１１に示すように、セパレータ１０を、Ｃ−Ｃ線に沿って切断することによって、図１（ａ）に示した両面粘着テープユニット１を形成する。
【００４０】
以上、本発明を好適な実施形態により説明してきたが、こうした記述は限定事項ではなく、もちろん、種々の改変が可能である。例えば、上記実施形態では、摘まみ部３０ａを、両面粘着テープ２０の長手方向の一端部に形成したが、両面粘着テープ２０の長手方向の両端部に形成してもよい。
【００４１】
また、上記実施形態では、スリット１１を、各両面粘着テープ２０が形成された位置に対応して、互いに平行に複数形成したが、図１２（ａ）に示すように、スリット１１を、摘まみ部３０ａよりも内側であって、両面粘着テープ２０が形成された方向と垂直方向に沿って形成してもよい。この場合、図１２（ｂ）に示すように、スリット１１に沿って、セパレータ１０の一部１０ｂを両面粘着テープ２０から引き剥がすと、両面粘着テープ２０の一部が露出する。その後、図３に示したのと同様に、摘まみ部３０ａを持って、両面粘着テープ２０を、セパレータ１０から引き剥がすことによって、セパレータ１０から個別に剥離された両面粘着テープ２０（セパレータ片３０付き）が得られる。なお、セパレータ１０の一部１０ｂは、必ずしも全部引き剥がす必要はなく、両面粘着テープ２０の摘まみ部３０ａが露出するところまで引き剥がすことでもよい。
【００４２】
また、上記実施形態では、スリット１１を連続的に形成したが、断続的に形成されたスリットであってもよい。
【００４３】
また、上記実施形態では、両面粘着テープユニット１の適用例として、剥離後の両面粘着テープ２０を、靴下ずれ防止用両面粘着テープとして使用する例を説明したが、これに限定されず、あらゆる用途に使用することができる。
【符号の説明】
【００４４】
１        両面粘着テープユニット 
１０      シート状のセパレータ 
１１      スリット 
２０      両面粘着テープ（両面粘着シート） 
２１      基材 
２２      第１の粘着層 
２３      第２の粘着層 
３０      セパレータ片（第２のセパレータ） 
３０ａ    摘まみ部 
４０      キャリアシート
【図１】
2019038927.tif 000003
【図２】
2019038927.tif 000004
【図３】
2019038927.tif 000005
【図４】
2019038927.tif 000006
【図５】
2019038927.tif 000007
【図６】
2019038927.tif 000008
【図７】
2019038927.tif 000009
【図８】
2019038927.tif 000010
【図９】
2019038927.tif 000011
【図１０】
2019038927.tif 000012
【図１１】
2019038927.tif 000013
【図１２】
2019038927.tif 000014
【手続補正書】
【提出日】平成30年2月15日(2018.2.15)
【手続補正１】
【補正対象書類名】明細書
【補正対象項目名】０００７
【補正方法】変更
【補正の内容】
【０００７】
本発明に係る両面粘着テープユニットは、シート状のセパレータ上に複数の両面粘着テープが形成された両面粘着テープユニットであって、セパレータには、一方向に沿って互いに平行な複数のスリットが形成されており、複数の両面粘着テープは、それぞれ、第１の粘着層、基材、及び第２の粘着層が積層された構成をなし、かつ、スリットが形成された位置が、両面粘着テープの幅方向中央にくるように、互いに分離されて、短冊状に形成されており、第２の粘着層の上に、セパレータ片が形成されており、セパレータ片は、両面粘着テープの長手方向の一端部において、両面粘着テープが形成されていない摘まみ部を有することを特徴とする。
【手続補正２】
【補正対象書類名】特許請求の範囲
【補正対象項目名】全文
【補正方法】変更
【補正の内容】
【特許請求の範囲】
【請求項１】
シート状のセパレータ上に複数の両面粘着テープが形成された両面粘着テープユニットであって、
前記セパレータには、一方向に沿って互いに平行な複数のスリットが形成されており、
前記複数の両面粘着テープは、それぞれ、第１の粘着層、基材、及び第２の粘着層が積層された構成をなし、かつ、前記スリットが形成された位置が、前記両面粘着テープの幅方向中央にくるように、互いに分離されて、短冊状に形成されており、
前記第２の粘着層の上に、セパレータ片が形成されており、該セパレータ片は、前記両面粘着テープの長手方向の一端部において、該両面粘着テープが形成されていない摘まみ部を有する、両面粘着テープユニット。
【請求項２】
前記セパレータの前記第１の粘着層に対する離型力は、前記セパレータ片の前記第２の粘着層に対する離型力よりも小さい、請求項１に記載の両面粘着テープユニット。
【請求項３】
前記第１の粘着層の粘着力は、前記第２の粘着層の粘着力よりも大きい、請求項１に記載の両面粘着テープユニット。
【請求項４】
前記基材は、可撓性材料または収縮性材料で構成されている、請求項１に記載の両面粘着テープユニット。
【請求項５】
前記各両面粘着テープは、前記セパレータから個別に剥離可能であって、
剥離後の前記両面粘着テープは、靴下を足に装着する際、前記第１の粘着層を足の表面に貼り付け、前記第２の粘着層を靴下の内面に貼り付けることによって、靴下のずれを防止する、靴下ずれ防止用両面粘着テープとして使用される、請求項１に記載の両面粘着テープユニット。
【請求項６】
請求項１〜５の何れかに記載の両面粘着テープユニットの製造方法であって、
前記シート状のセパレータにスリットを形成する工程と、
前記セパレータ上に、第１の粘着層、基材、及び第２の粘着層の積層体からなる両面粘着シートと、キャリアシートとを形成する工程と、
前記両面粘着シート及び前記キャリアシートにおいて、前記摘まみ部に相当する部位を選択的に除去する工程と、
前記キャリアシートを除去した後、前記両面粘着シート上に、シート状の第２のセパレータを形成する工程と、
前記両面粘着シート及び前記第２のセパレータにおいて、前記両面粘着テープ及び前記セパレータ片を形成する領域を除く部位を選択的に除去して、複数の両面粘着テープを、短冊状に形成する工程と、
を有する、両面粘着テープユニットの製造方法。
【請求項７】
前記スリットは、前記複数の両面粘着テープが形成される位置に対応して、互いに平行に複数本形成される、請求項６に記載の両面粘着テープユニットの製造方法。